(57)【要約】【課題】複数の加熱体を有する誘導加熱調理器において加熱体の動作とその制御状態が個別制御か連結制御かをわかりやすく表示すること。【解決手段】第二の発光表示体２６の外周を結ぶ線上近傍に第三の発光表示体２７を配置し、加熱体２３を連結制御モードで駆動した時に第三の発光表示体２７が点灯するようにしたことにより、連結制御モードの場合には発光表示体２５、２６、２７の点灯表示が連結して見えるので、加熱体の制御状態が容易に判別できる。【選択図】図１
2010170698.tif 000002
【特許請求の範囲】
【請求項１】
本体ケースの上面に設けた透光性の天板と、前記天板の下方に設けられ個別制御または連結制御して天板上の被加熱調理容器を加熱する複数の加熱体と、前記加熱体の外周でかつ連結制御する加熱体の間に配置された第一の発光表示体と、加熱体を挟んで前記第一の発光表示体と反対側に配置された第二の発光表示体と、前記第一または第二の発光表示体の外周を結ぶ線上近傍に配置された第三の発光表示体とを備え、前記加熱体を連結制御モードで駆動した時に前記第三の発光表示体を点灯する誘導加熱調理器。
【請求項２】
前記第三の発光表示体を第一または第二の発光表示体の外周を結ぶ線上よりも外側に配置した請求項１に記載の誘導加熱調理器。
【請求項３】
前記加熱体および発光表示体を載置する支持板を設け、連結制御する加熱体と第一から第三の発光表示体を一つの支持板上に取り付けた請求項１または２に記載の誘導加熱調理器。
【請求項４】
前記支持板は前記発光表示体の取り付け位置を加熱体毎に複数個有した請求項３に記載の誘導加熱調理器。
【請求項５】
前記発光表示体は発光源と、前記発光源を覆い天板側に光透過部を設けた箱体と、前記箱体の光透過部に取り付けられ前記発光源の光を受けて光る表示シートとを備えた請求項１〜４のいずれか１項に記載の誘導加熱調理器。
【請求項６】
前記表示シートは発光源の光を受けて光る輝部と光を通さない不透明部を印刷により形成した請求項５に記載の誘導加熱調理器。
【発明の詳細な説明】
【技術分野】
【０００１】
本発明は、複数の加熱体の動作表示を有する誘導加熱調理器に関するものである。
【背景技術】
【０００２】
従来、この種の誘導加熱調理器は、天板の下に複数の加熱体が配置され、天板上に載置した被加熱調理容器を加熱していることを表示するために操作部近傍のＬＥＤランプや加熱体外周の発光表示体で表示している（例えば、特許文献１参照）。
【０００３】
図７は、従来の誘導加熱調理器の平面図を示すものである。図８は、従来の誘導加熱調理器の断面図を示すものである。
【０００４】
図７、図８において、本体１の天面は鍋などの被加熱調理容器を載置する天板２で形成され、天板の内側には被加熱調理容器を加熱する複数の加熱体３ａ、３ｂが配置されている。加熱体３ａ、３ｂは単独に個別制御することができるとともに、両方の加熱体３ａ、３ｂを覆うような大きな被加熱調理容器を使って調理する時のために連結制御もできるように構成されている。
【０００５】
加熱体３の出力を調整するために天板２には、単独調整用の調整ボタン４ａ、４ｂと連結制御用の調整ボタン４ｃが設けられている。調整ボタン４の近傍には加熱中を表示するＬＥＤランプ５が設けられている。また、本体１の内側で加熱体３ａ、３ｂの外周には発光表示体６ａ、６ｂが配置され、加熱中に発光してＬＥＤランプ５とともに加熱中であることや被加熱調理容器を載置する位置を表示する。
【特許文献１】特開２００１−３２６０６４号公報
【発明の開示】
【発明が解決しようとする課題】
【０００６】
しかしながら、前記従来の構成では、ＬＥＤランプで連結制御状態を表示しても表示が加熱体から離れかつ小さいために一目では加熱体の動作状態がわかりにくかった。また、発光表示体の発光を見ただけでは加熱体が個別制御で２個が動作しているのか、あるいは２個の加熱体が連結制御されて動作しているのかわからないという課題を有していた。
【０００７】
本発明は、前記従来の課題を解決するもので、加熱体の動作とその制御状態が個別制御か連結制御かをわかりやすく表示した誘導加熱調理器を提供することを目的とする。
【課題を解決するための手段】
【０００８】
前記従来の課題を解決するために、本発明の誘導加熱調理器は、加熱体の外周でかつ連結制御する加熱体の間に配置した第一の発光表示体と、加熱体を挟んで第一の発光表示体と反対側に配置した第二の発光表示体と、第一または第二の発光表示体の外周を結ぶ線上近傍に配置した第三の発光表示体とを備え、加熱体を連結制御モードで駆動した時に第三の発光表示体を点灯するようにしたものである。
【０００９】
これによって、加熱体を連結制御モードで駆動した時には第三の発光表示体が点灯して点灯表示が連結して見えるので、加熱体の制御状態が連結制御であることが容易に判別できる。
【発明の効果】
【００１０】
本発明の誘導加熱調理器は、加熱体を連結制御モードで駆動した時には第三の発光表示
体が点灯して点灯表示が連結して見えるので、加熱体の制御状態が連結制御であることが容易に判別することができる。
【発明を実施するための最良の形態】
【００１１】
第１の発明は、第一または第二の発光表示体の外周を結ぶ線上近傍に第三の発光表示体を配置し、加熱体を連結制御モードで駆動した時に第三の発光表示体が点灯するようにしたことにより、連結制御モードの場合には点灯表示が連結して見えるので、加熱体の制御状態が連結制御であることが容易に判別できる。
【００１２】
第２の発明は、特に、第１の発明の第三の発光表示体を第一または第二の発光表示体の外周を結ぶ線上よりも外側に配置することにより、被加熱調理容器が第一または第二の発光表示体の外周を結ぶ線上よりも大きい場合でも第三の発光表示体が見え、連結制御状態であることが判別できる。
【００１３】
第３の発明は、特に、第１または第２の発明において、連結制御する加熱体と第一から第三の発光表示体を一つの支持板上に取り付けたもので、これにより本体の組み立てが非常に容易であり、加熱体と発光表示体の位置関係がずれたりしないようにすることができる。
【００１４】
第４の発明は、特に、第３の発明において、支持板に発光表示体の取り付け位置を加熱体毎に複数個設けたもので、これにより加熱体の大きさを変えたい場合や発光表示体で表示するリングの大きさを変えたい場合などに、支持板を新規に作ることなく対応でき安価に作ることができる。
【００１５】
第５の発明は、特に、第１〜４のいずれか１つの発明の発光表示体を発光源と、発光源を覆い天板側に光透過部を設けた箱体と、箱体の光透過部に取り付けられ発光源の光を受けて光る表示シートとで構成することにより、発光表示体の取り付け位置に制約されず部品を共用することができる。
【００１６】
第６の発明は、特に、第５の発明の表示シートを発光源の光を受けて光る輝部と光を通さない不透明部を印刷により形成することにより、容易に発光表示体の光る部分の形状を変えることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器の平面図を示している。図２は、本発明の第１の実施の形態における誘導加熱調理器の断面図を示している。
【００１９】
図１、図２において、本体２１の天面は鍋などの被加熱調理容器を載置する天板２２で形成され、天板２２の内側には被加熱調理容器を加熱する複数の加熱体２３ａ、２３ｂを配置している。
【００２０】
加熱体２３ａ、２３ｂは単独に個別制御することができるとともに、両方の加熱体２３ａ、２３ｂを覆うような大きな被加熱調理容器を使って調理する時のために連結制御もできるようになっている。
【００２１】
加熱体２３の出力を調整するために天板２２には、単独調整用の調整ボタン２４ａ、２４ｂと連結制御用の調整ボタン２４ｃを設けている。
【００２２】
本体２１の内側で加熱体２３ａ、２３ｂの間には第一の発光表示体２５ａ、２５ｂを配置し、加熱体２３ａ、２３ｂを挟んで第一の発光表示体２５ａ、２５ｂの反対側には第二の発光表示体２６ａ、２６ｂを配置している。
【００２３】
さらに、第二の発光表示体２６ａ、２６ｂの外周を結ぶ線上近傍には第三の発光表示体２７を配置した構成にしている。
【００２４】
加熱体２３ａ、２３ｂの下方には制御回路２８が設けられ、調整ボタン２４ａ、２４ｂ、２４ｃの操作によって加熱体２３ａ、２３ｂの出力制御や、加熱中に発光表示体２５、２６、２７を発光させるなどの制御を行っている。
【００２５】
以上のように構成された誘導加熱調理器について、以下その動作、作用を説明する。
【００２６】
まず、加熱体２３を個別制御で使用する場合には、被加熱調理容器を天板２２の上に載せ、使用する側たとえば加熱体２３ａを使用する場合には調整ボタン２４ａを押す。
【００２７】
すると、加熱体２３ａが個別制御され被加熱調理容器が加熱されるとともに、第一の発光表示体２５ａと第二の発光表示体２６ａが点灯し、加熱体２３ａが動作中であることや被加熱調理容器を載置する位置が表示される。
【００２８】
加熱体２３ａ、２３ｂの両方を個別制御で使用する場合には被加熱調理容器を加熱体２３ａ、２３ｂの上に置き、調整ボタン２４ａ、２４ｂを押す。すると、加熱体２３ａ２３ｂが個別制御され被加熱調理容器が加熱されるとともに、第一の発光表示体２５ａ、２５ｂと第二の発光表示体２６ａ、２６ｂが点灯し、加熱体２３ａ、２３ｂが個別制御で動作中であることが表示される。
【００２９】
一方、加熱体２３を連結制御で使用する場合には、被加熱調理容器を加熱体２３ａと２３ｂの両方にかかるように置いて、調整ボタン２４ｃを押す。すると、加熱体２３ａ、２３ｂが連結制御され被加熱調理容器が両方の加熱体２３ａ、２３ｂで加熱されるとともに、第一の発光表示体２５ａ、２５ｂと第二の発光表示体２６ａ、２６ｂおよび第三の発光表示体２７が点灯し、加熱体２３ａ、２３ｂが連結制御で動作中であることや被加熱調理容器を載置する位置が表示される。
【００３０】
発光表示体２７が点灯することで点灯表示が連結されたように見えるので個別制御している場合との判別が容易にでき、使用間違いを防ぐことができる。
【００３１】
なお、上記説明では連結制御する場合に第一の発光表示体２５ａ、２５ｂも点灯させているが消灯してもよく、発光表示体２７を点灯させればよい。
【００３２】
また、第一の発光表示体２５ａ、２５ｂと第二の発光表示体２６ａ、２６ｂを分離しているが、それぞれリング状に連結されていてもよく、発光表示体２７によって連結制御状態が表示されればよい。
【００３３】
以上のように、本実施の形態においては、第一または第二の発光表示体の外周を結ぶ線上近傍に第三の発光表示体を配置し、加熱体を連結制御モードで駆動した時に第三の発光表示体が点灯するようにしたことにより、連結制御モードの場合には発光表示体の点灯表示が連結して見えるようになり、加熱体の制御状態を容易に判別できる。
【００３４】
（実施の形態２）
図３は、本発明の第２の実施の形態における誘導加熱調理器の平面図を示している。実施の形態１と同一要素については同一符号を付してその説明を省略する。
【００３５】
図３において、第三の発光表示体２７は第二の発光表示体２６ａ、２６ｂの外周を結ぶ線上よりも外側に配置したものであり、被加熱調理容器が第二の発光表示体２６ａ、２６ｂの外周を結ぶ線上よりも大きい場合でも第三の発光表示体２７が見え、連結制御状態であることが判別できる。
【００３６】
以上のように、本実施の形態においては、第三の発光表示体を第一または第二の発光表示体の外周を結ぶ線上よりも外側に配置したことにより、被加熱調理容器が第二の発光表示体の外周を結ぶ線上よりも大きい場合でも第三の発光表示体が見え、連結制御状態であることが判別できる。
【００３７】
（実施の形態３）
図４は、本発明の第３の実施の形態における誘導加熱調理器の内部平面図を示している。実施の形態１と同一要素については同一符号を付してその説明を省略する。
【００３８】
図４において、本体２１内に支持板２９を設け、支持板２９の上に加熱体２３ａ、２３ｂおよび発光表示体２５ａ、２５ｂ、２６ａ、２６ｂ、２７を載置固定した構成にしている。
【００３９】
本機を組み立てる時には、まず支持板２９の上に加熱体２３ａ、２３ｂおよび発光表示体２５ａ、２５ｂ、２６ａ、２６ｂ、２７を載置して固定する。
【００４０】
そして、ユニット状態になった支持板２９を本体２１内に取り付けることで、加熱体２３ａ、２３ｂや発光表示体２５ａ、２５ｂ、２６ａ、２６ｂ、２７をばらばらに本体２１内に並べる必要がなく、組み立てが非常に容易である。
【００４１】
また、支持板２９の上に加熱体２３ａ、２３ｂおよび発光表示体２５ａ、２５ｂ、２６ａ、２６ｂ、２７が固定されているため、その位置関係がずれたりしないという効果もある。
【００４２】
以上のように、本実施の形態においては、連結制御する加熱体と第一から第三の発光表示体を一つの支持板上に取り付けたことにより、本体の組み立てが非常に容易であり、加熱体と発光表示体の位置関係がずれたりしないようにすることができる。
【００４３】
（実施の形態４）
図５は、本発明の第４の実施の形態における誘導加熱調理器の内部平面図を示している。実施の形態１と同一要素については同一符号を付してその説明を省略する。
【００４４】
図５において、支持板２９に発光表示体２５ａ、２５ｂ、２６ａ、２６ｂ、固定用の取り付け穴３０を加熱体２３の径方向に複数個設けている。
【００４５】
また、それに合わせて発光表示体２７の位置も変えられるように、発光表示体２７の取り付け穴３０も複数個設けた構成としている。取り付け穴３０も複数個設けたことにより、加熱体２３の大きさや表示する発光表示の大きさに合わせて発光表示体２５ａ、２５ｂ、２６ａ、２６ｂ、２７の取り付け位置を数段階に変えることができる。
【００４６】
例えば、機器の出力に合わせて加熱体２３ａ、２３ｂの大きさを変えたい場合や被加熱調理容器の大きさに合わせて発光表示体２５ａ、２５ｂ、２６ａ、２６ｂ、２７で表示す
るリングの大きさを変えたい場合などに、支持板２９を新規に作ることなく対応でき、安価に作ることができる。
【００４７】
以上のように、本実施の形態においては、支持板に発光表示体の取り付け位置を複数設けたことにより、加熱体の大きさを変えたい場合や発光表示体で表示するリングの大きさを変えたい場合などに、支持板を新規に作ることなく対応でき安価に作ることができる。
【００４８】
（実施の形態５）
図６は、本発明の第５の実施の形態における誘導加熱調理器の発光表示体の斜視図を示している。実施の形態１と同一要素については同一符号を付してその説明を省略する。
【００４９】
図６において、発光表示体２５、２６、２７の各々を発光源３１と箱体３２および表示シート３３で構成している。
【００５０】
箱体３２の天板２２側には発光源３１の光を透過する光透過部３２ａが設けられ、その上には表示シート３３が取り付けられている。
【００５１】
表示シート３３は印刷によって発光源３１の光を受けて光る輝部３３ａと不透明部３３ｂが形成されており、輝部３３ａの形状を自由に設定することができる。
【００５２】
発光表示体２５、２６、２７は表示シート３３を取り替えることで所望の形状に光らせることができ、発光源３１と箱体３２を共用することができる。
【００５３】
また、発光表示体２５、２６は支持板２９への取り付け位置によって表示シート３３を替えることで、輝部３３ａの曲率を加熱体２３の中心からの距離に合わせることができ、違和感なくリングを表示できる。
【００５４】
以上のように、本実施の形態においては、発光表示体を発光源と、発光源を覆い天板側に光透過部を設けた箱体と、箱体の光透過部に取り付けられ発光源の光を受けて光る表示シートで構成したことにより、発光表示体の取り付け位置に制約されず部品を共用することができる。
【産業上の利用可能性】
【００５５】
以上のように、本発明にかかる誘導加熱調理器は複数の動作部の動作とその制御状態が個別制御か連結制御かをわかりやすく表示することができるので、誘導加熱調理器に限らず複数の動作部を有する機器に適用できる。
【図面の簡単な説明】
【００５６】
【図１】本発明の実施の形態１における誘導加熱調理器の平面図
【図２】本発明の実施の形態１における誘導加熱調理器の断面図
【図３】本発明の実施の形態２における誘導加熱調理器の平面図
【図４】本発明の実施の形態３における誘導加熱調理器の内部平面図
【図５】本発明の実施の形態４における誘導加熱調理器で内部平面図
【図６】本発明の実施の形態５における誘導加熱調理器の発光表示体の斜視図
【図７】従来の誘導加熱調理器の平面図
【図８】従来の誘導加熱調理器の断面図
【符号の説明】
【００５７】
２１  本体
２２  天板
２３ａ、２３ｂ  加熱体
２５ａ、２５ｂ  第一の発光表示体
２６ａ、２６ｂ  第二の発光表示体
２７  第三の発光表示体
２９  支持板
３０  取り付け穴（取り付け位置）
３１  発光源
３２  箱体
３２ａ  光透過部
３３  表示シート
【図１】
2010170698.tif 000003
【図２】
2010170698.tif 000004
【図３】
2010170698.tif 000005
【図４】
2010170698.tif 000006
【図５】
2010170698.tif 000007
【図６】
2010170698.tif 000008
【図７】
2010170698.tif 000009
【図８】
2010170698.tif 000010